(57)【特許請求の範囲】
【請求項１】
ＩＰネットワークに接続される第１の試験実施装置と第２の試験実施装置との間で行われる通信試験の制御を試験制御装置で行うＩＰ試験システムにおいて、
前記試験制御装置は前記第１の試験実施装置及び前記第２の試験実施装置に対してトンネルセッションを確立し、
前記試験制御装置は、前記第１の試験実施装置と前記第２の試験実施装置との呼制御処理のときに送受信される試験用呼制御パケットを生成し、生成した試験用呼制御パケットを前記トンネルセッションを経由して前記第１の試験実施装置及び前記第２の試験実施装置に送信して、前記試験用呼制御パケットを用いて前記第１の試験実施装置と前記第２の試験実施装置との間で呼制御処理を行わせ、
前記第１の試験実施装置及び前記第２の試験実施装置はお互いに受信した試験用呼制御パケットを前記試験制御装置に送信し、
前記第１の試験実施装置と前記第２の試験実施装置との呼接続がなされると、前記試験制御装置は前記第１の試験実施装置と前記第２の試験実施装置との間で送受信される試験用ＩＰパケットを生成し、生成した試験用ＩＰパケットを前記トンネルセッションを経由して前記第１の試験実施装置及び前記第２の試験実施装置に送信して前記第１の試験実施装置と前記第２の試験実施装置との間で試験用ＩＰパケットの送受信を行わせ、
前記第１の試験実施装置及び前記第２の試験実施装置はお互いに受信した試験用ＩＰパケットを前記試験制御装置に送信し、
前記試験制御装置は前記第１の試験実施装置及び前記第２の試験実施装置から受信した試験用呼制御パケット及び試験用ＩＰパケットの受信結果を解析すること
を特徴とするＩＰ試験システム。
【請求項２】
ＩＰネットワークに接続される第１の試験実施装置と第２の試験実施装置との間で行われる通信試験の制御を試験制御装置で行うＩＰ試験システムにおいて、
前記試験制御装置は前記第１の試験実施装置及び前記第２の試験実施装置に対してトンネルセッションを確立し、
前記試験制御装置は、前記第１の試験実施装置と前記第２の試験実施装置との呼制御処理のときに送受信される試験用呼制御パケットを生成し、生成した試験用呼制御パケットを前記トンネルセッションを経由して前記第１の試験実施装置及び前記第２の試験実施装置に送信して、前記試験用呼制御パケットを用いて前記第１の試験実施装置と前記第２の試験実施装置との間で呼制御処理を行わせ、
前記第１の試験実施装置及び前記第２の試験実施装置はお互いに受信した試験用呼制御パケットを前記試験制御装置に送信し、
前記第１の試験実施装置と前記第２の試験実施装置との呼接続がなされると、前記第１の試験実施装置及び前記第２の試験実施装置は試験用ＩＰパケットを生成し、生成した試験用ＩＰパケットの送受信をし、
前記第１の試験実施装置及び前記第２の試験実施装置はお互いに受信した試験用ＩＰパケットを前記試験制御装置に送信し、
前記試験制御装置は前記第１の試験実施装置及び前記第２の試験実施装置から受信した試験用呼制御パケット及び試験用ＩＰパケットの受信結果を解析すること
を特徴とするＩＰ試験システム。
【発明の詳細な説明】
【技術分野】
【０００１】
この発明は、ＶｏＩＰ（Voice over Internet Protocol）ネットワークのようなＩＰネットワーク内のＳＩＰ（Session Initiation Protocol）およびＲＴＰ（Real Time Protocol）等の導通に関する正常性試験機能およびネットワーク内におけるＲＴＰパケット転送品質試験機能を提供するＩＰ試験システムに関するものである。
【背景技術】
【０００２】
従来は、下記非特許文献１に示されるように、ネットワークに配置された試験実施装置がパケットを生成し、試験制御装置はその試験の制御、監視、報告受信を行うのみであった。
また、下記特許文献１に示されるように、ＶｏＩＰ網を用いるサービスを含めたＩＰサービスにおける試験方法が開示されている。
【非特許文献１】クオリティネット株式会社，２００５年９月２１日検索，ＵＲＬ：http://www.quality-net.co.jp/Brix/Brix.php
【特許文献１】特開２００５−２０５２４号公報
【発明の開示】
【発明が解決しようとする課題】
【０００３】
しかしながら、上述された非特許文献１に記載されるようなＩＰ試験システムでは、試験実施に使用するプロトコル仕様を変更する場合に、ネットワーク内に配置された複数の試験実施装置全てに変更を加える必要があった。
【課題を解決するための手段】
【０００４】
かかる課題を解決するため、本発明によるＩＰ試験システムは、ＩＰネットワークに接続される第１の試験実施装置と第２の試験実施装置との間で行われる通信試験の制御を試験制御装置で行うＩＰ試験システムにおいて、試験制御装置は第１の試験実施装置及び第２の試験実施装置に対してトンネルセッションを確立し、試験制御装置は、第１の試験実施装置と第２の試験実施装置との呼制御処理のときに送受信される試験用呼制御パケットを生成し、生成した試験用呼制御パケットをトンネルセッションを経由して第１の試験実施装置及び第２の試験実施装置に送信して、試験用呼制御パケットを用いて第１の試験実施装置と第２の試験実施装置との間で呼制御処理を行わせ、第１の試験実施装置及び第２の試験実施装置はお互いに受信した試験用呼制御パケットを試験制御装置に送信し、第１の試験実施装置と第２の試験実施装置との呼接続がなされると、試験制御装置は第１の試験実施装置と第２の試験実施装置との間で送受信される試験用ＩＰパケットを生成し、生成した試験用ＩＰパケットをトンネルセッションを経由して第１の試験実施装置及び第２の試験実施装置に送信して第１の試験実施装置と第２の試験実施装置との間で試験用ＩＰパケットの送受信を行わせ、第１の試験実施装置及び第２の試験実施装置はお互いに受信した試験用ＩＰパケットを試験制御装置に送信し、試験制御装置は第１の試験実施装置及び第２の試験実施装置から受信した試験用呼制御パケット及び試験用ＩＰパケットの受信結果を解析することを特徴とする。
【０００５】
また、本発明によるＩＰ試験システムは、ＩＰネットワークに接続される第１の試験実施装置と第２の試験実施装置との間で行われる通信試験の制御を試験制御装置で行うＩＰ試験システムにおいて、試験制御装置は第１の試験実施装置及び第２の試験実施装置に対してトンネルセッションを確立し、試験制御装置は、第１の試験実施装置と第２の試験実施装置との呼制御処理のときに送受信される試験用呼制御パケットを生成し、生成した試験用呼制御パケットをトンネルセッションを経由して第１の試験実施装置及び第２の試験実施装置に送信して、試験用呼制御パケットを用いて第１の試験実施装置と第２の試験実施装置との間で呼制御処理を行わせ、第１の試験実施装置及び第２の試験実施装置はお互いに受信した試験用呼制御パケットを試験制御装置に送信し、第１の試験実施装置と第２の試験実施装置との呼接続がなされると、第１の試験実施装置及び第２の試験実施装置は試験用ＩＰパケットを生成し、生成した試験用ＩＰパケットの送受信をし、第１の試験実施装置及び第２の試験実施装置はお互いに受信した試験用ＩＰパケットを試験制御装置に送信し、試験制御装置は第１の試験実施装置及び第２の試験実施装置から受信した試験用呼制御パケット及び試験用ＩＰパケットの受信結果を解析することを特徴とする。
【発明の効果】
【０００６】
発明の効果として、本発明のＩＰ試験システムによれば、ＩＰネットワークに接続される第１の試験実施装置と第２の試験実施装置との間で行われる通信試験の制御を試験制御装置で行うＩＰ試験システムにおいて、試験制御装置は第１の試験実施装置及び第２の試験実施装置に対してトンネルセッションを確立し、試験制御装置は、第１の試験実施装置と第２の試験実施装置との呼制御処理のときに送受信される試験用呼制御パケットを生成し、生成した試験用呼制御パケットをトンネルセッションを経由して第１の試験実施装置及び第２の試験実施装置に送信して、試験用呼制御パケットを用いて第１の試験実施装置と第２の試験実施装置との間で呼制御処理を行わせ、第１の試験実施装置及び第２の試験実施装置はお互いに受信した試験用呼制御パケットを試験制御装置に送信し、第１の試験実施装置と第２の試験実施装置との呼接続がなされると、試験制御装置は第１の試験実施装置と第２の試験実施装置との間で送受信される試験用ＩＰパケットを生成し、生成した試験用ＩＰパケットをトンネルセッションを経由して第１の試験実施装置及び第２の試験実施装置に送信して第１の試験実施装置と第２の試験実施装置との間で試験用ＩＰパケットの送受信を行わせ、第１の試験実施装置及び第２の試験実施装置はお互いに受信した試験用ＩＰパケットを試験制御装置に送信し、試験制御装置は第１の試験実施装置及び第２の試験実施装置から受信した試験用呼制御パケット及び試験用ＩＰパケットの受信結果を解析することにより、試験制御装置と試験実施装置の間のネットワークアドレス空間が、呼制御サーバやＶｏＩＰ端末を含むネットワークのアドレス空間とは分離されている場合でも、一連の呼制御パケットおよび音声信号パケットの導通が問題なく実施でき、呼制御シグナリングおよびストリーミングのパケット種別やシーケンスなどの仕様が変更された場合、試験制御装置に変更を加えるだけでよく、試験実施装置が数多く配置された場合においても変更に必要なコストは変わらず、さらに１箇所から遠隔で呼制御および音声等の試験が実施できる。
【発明を実施するための最良の形態】
【０００７】
本発明によるＩＰ試験システムの実施例は、添付図面を参照して詳細に説明される。
【実施例１】
【０００８】
以下、本発明によるＩＰ試験システムの実施例１は、図１〜図４を用いて説明される。図１は本発明のＩＰ試験システムのネットワーク構成を示す図である。図２は本発明の試験制御装置の機能構成を示す図である。図３は本発明のＩＰ試験システムの第１の動作フローを示す図である。図４はＩＰ試験システムの第２の動作フローを示す図である。
【０００９】
まず図１において本発明のＩＰ試験システムのネットワーク上の接続構成が説明される。ＩＰ試験システムは、試験制御装置１１と、試験制御装置１１に第１のネットワーク１２を介して接続される試験実施装置１３ａ及び試験実施装置１３ｂ、試験実施装置１３ａ及び試験実施装置１３ｂに第２のネットワーク１４を介して接続されるＶｏＩＰサーバ１５、試験実施装置１３ａに第３のネットワーク１６を介して接続される装置ＶｏＩＰ端末１７ａ、試験実施装置１３ｂに第４のネットワーク１８を介して接続されるＶｏＩＰ端末１７から構成される。試験実施装置１３ａと試験実施装置１３ｂは第２のネットワークを介して接続される。
【００１０】
ＩＰ試験システムは、ＩＰ試験を行いたいネットワークに接続される試験実施装置１３ａ及び試験実施装置１３ｂに対して試験制御装置１１から遠隔で試験を行う。例えば、ＶｏＩＰ端末１７ａとＶｏＩＰ端末１７ｂが第２のネットワーク１４を介して通信を行ったときに不具合あると、ＶｏＩＰ端末１７ａとＶｏＩＰ端末１７ｂの代わりに、第２のネットワーク１４に接続される試験実施装置１３ａと試験実施装置１３ｂを用いて試験制御装置１１から遠隔で試験を行う。
【００１１】
また、本実施例では第１のネットワーク１２、第２のネットワーク１４、第３のネットワーク１６、第４のネットワーク１８をそれぞれ別のネットワークとして説明するが、第１のネットワーク１２、第２のネットワーク１４、第３のネットワーク１６、第４のネットワーク１８が一つの同じネットワークである場合でも本発明を適用することが可能である。第１のネットワーク１２、第２のネットワーク１４、第３のネットワーク１６、第４のネットワーク１８は音声ＩＰパケットが伝送されるＶｏＩＰネットワーク等である。また、ＶｏＩＰネットワークは音声ＩＰパケットだけでなく、同様なストリーミング信号パケットである映像ＩＰパケットが伝送されるネットワークであってもよい。
ＶｏＩＰ端末はＶｏＩＰ端末１７ａ及びＶｏＩＰ端末１７ｂのみではなく、実際には複数存在するものとする。
【００１２】
試験制御装置１１は、図２を用いて詳細に説明される。試験制御装置１１は、入力部２１、試験制御部２２、発信側パケット処理部２３、応答側パケット処理部２４、送受信部２５、表示部２６から構成される。
試験制御装置１１はＩＰ試験の実施に際して、試験実施装置の選択、試験の制御、試験信号の送受信を実施する装置である。
【００１３】
入力部２１は、ＩＰ試験を行うオペレータ等によって入力指示操作が行われる。入力指示操作が行われる場合には、試験制御部２２の画面制御により入力画面がディスプレイ等の表示部２６に表示される。
試験制御部２２は、入力部２１から入力指示情報を受けて、発信側パケット処理部２３及び応答側パケット処理部２４の処理動作を制御する。また試験制御部２２は、発信側パケット処理部２３及び応答側パケット処理部２４が受信したパケットを受け取り、そのパケットを解析し、画面制御をして解析結果を表示部２６に表示させる。
【００１４】
発信側パケット処理部２３は、試験制御部２２からの要求により、発信側の試験装置となる試験実施装置１３ａとトンネルセッションを確立し、試験用の呼制御パケットや音声ＩＰパケットを生成して、試験実施装置１３ａに送信する。また、音声ＩＰパケットだけでなく、映像ＩＰパケットのようなストリーミング信号パケットが生成されてもよい。
応答側パケット処理部２４は、試験制御部２２からの要求により、応答側の試験装置となる試験実施装置１３ｂとトンネルセッションを確立し、試験用の呼制御パケットや音声ＩＰパケットを生成して、試験実施装置１３ｂに送信する。また、音声ＩＰパケットだけでなく、映像ＩＰパケットのようなストリーミング信号パケットが生成されてもよい。
送受信部２５は、試験実施装置１３ａ及び試験実施装置１３ｂとの通信インタフェースであり、パケットの送受信を行う。
【００１５】
試験実施装置１３ａは、本実施例では試験制御部１１の制御により発信側の試験実施装置となり、例えば、ＶｏＩＰ端末１３ａに使用される電話番号及びＩＰアドレスが設定される。試験実施装置１３ａは、試験制御装置１１から確立したトンネルセッション経由で受信した試験用呼制御パケットをＶｏＩＰサーバ１５経由で試験実施装置１３ｂに送信して呼制御処理を行い、試験実施装置１３ｂから受信した試験用呼制御パケットを確立したトンネルセッション経由で試験制御部１１に送信する。また試験実施装置１３ａは、試験制御装置１１からトンネルセッション経由で受信した試験用音声ＩＰパケットを試験実施装置１３ｂに送信し、試験実施装置１３ｂから受信した試験用音声ＩＰパケットを確立したトンネルセッション経由で試験制御部１１に送信する。
【００１６】
試験実施装置１３ｂは、本実施例では試験制御部１１の制御により応答側の試験実施装置となり、例えば、ＶｏＩＰ端末１３ｂに使用される電話番号及びＩＰアドレスが設定される。試験実施装置１３ｂは、試験制御装置１１から確立したトンネルセッション経由で受信した試験用呼制御パケットをＶｏＩＰサーバ１５経由で試験実施装置１３ａに送信して呼制御処理を行い、試験実施装置１３ａから受信した試験用呼制御パケットを確立したトンネルセッション経由で試験制御部１１に送信する。また試験実施装置１３ｂは、試験制御装置１１からトンネルセッション経由で受信した試験用音声ＩＰパケットを試験実施装置１３ａに送信し、試験実施装置１３ａから受信した試験用音声ＩＰパケットを確立したトンネルセッション経由で試験制御部１１に送信する。
【００１７】
試験実施装置は試験実施装置１３ａや試験実施装置１３ｂのみだけでなく、ＶｏＩＰサーバ１５とＶｏＩＰ端末の間に複数台設置される試験実施装置である。
試験実施装置１３ａと試験実装地１３ｂは、試験用の呼制御パケット及び音声ＩＰパケット以外のパケットを受信すると、ＩＰ試験の実施がされているか否かを問わず、透過的にパケットを転送する機能を有している。
【００１８】
ＶｏＩＰサーバ１５は、例えばＳＩＰに対応した呼制御処理機能を有するＳＩＰサーバであり、もちろん、ＳＩＰ以外の呼制御プロトコルに対応したサーバでもよい。
ＶｏＩＰ端末１７ａ及びＶｏＩＰ端末１７ｂは、ＩＰ電話機能を有する通信端末であり、ＶｏＩＰサーバ１５経由で電話通信を行う。ＶｏＩＰ端末１７ａは電話番号ａ及びＩＰアドレスａが付与されている。ＶｏＩＰ端末１７ｂは電話番号ｂ及びＩＰアドレスｂが付与されている。
【００１９】
次に図３を用いて、本発明のＩＰ試験システムの第１の動作フローの詳細が説明される。
まず、オペレータが試験制御装置１１の入力部２１により、対象となる発信側の試験実施装置として試験実施装置１３ａを選択し、試験実施装置１３ａに対して、ＶｏＩＰ端末１７ａのＩＰ電話番号とＩＰアドレスを設定するように試験登録開始の操作を行う。入力部２１から試験登録開始の指示情報を受信した試験制御部２２は、発信側パケット処理部２３に、試験実施装置１３ａに対してＶｏＩＰ端末１７ａの加入者電話番号とＩＰアドレスを設定するように試験登録要求を行う（Ｓ３０１）。ＶｏＩＰ端末１７ａが公衆交換電話網にも接続される場合には、試験実施装置１３ａに対して、ＩＰ電話番号（０５０番号）でなく固定電話の加入者電話番号（０ＡＢ〜Ｊ番号）を設定させることも可能である。
【００２０】
試験制御部２２から指示を受けた発信側試験パケット処理部２３は、選択された試験実施装置１３ａに対してＶｏＩＰ端末１７ａの電話番号ａとＩＰアドレスａを設定し、トンネルセッションの確立処理を行う（Ｓ３０２）。
【００２１】
試験制御装置１１と試験実施装置１３ａとの間でトンネルセッションが確立されると、発信側パケット処理部２３はＳＩＰプロコル手順に従ってＶｏＩＰサーバ１５にＲＥＧＩＳＴＥＲリクエストを送受信部２５から送信して、位置登録処理を行う。
【００２２】
位置登録処理については、まず発信側パケット処理部２３はトンネルセッション経由で試験実施装置１３ａにＲＥＧＩＳＴＥＲリクエストを送信する（Ｓ３０３）。発信側パケット処理部２３からＲＥＧＩＳＴＥＲリクエストを受信した試験実施装置１３ａはＶｏＩＰサーバ１５にＲＥＧＩＳＴＥＲリクエストを送信し、ＩＰアドレスａを通知する（Ｓ３０４）。
ＶｏＩＰサーバ１５は、ＲＥＧＩＳＴＥＲリクエストを受信すると２００ＯＫのレスポンスを登録完了通知として、試験実施装置１３ａに送信する（Ｓ３０５）。２００ＯＫのレスポンスを受信した試験実施装置１３ａは、トンネルセッション経由で発信側パケット処理部２３に２００ＯＫのレスポンスを送信する（Ｓ３０６）。
【００２３】
２００ＯＫのレスポンスを受信した発信側パケット処理部２３は、試験制御部２２に発信側の試験実施装置１３ａの設定が完了したことを示す登録完了通知を送信する（Ｓ３０７）。
【００２４】
次に、オペレータが試験制御装置１１の入力部２１により、対象となる応答側の試験実施装置として試験実施装置１３ｂを選択し、試験実施装置１３ｂに対して、ＶｏＩＰ端末１７ｂの加入者電話番号とＩＰアドレスを設定するように試験登録開始の操作を行う。入力部２１から試験登録開始の指示情報を受信した試験制御部２２は、応答側パケット処理部２４に、試験実施装置１３ｂに対してＶｏＩＰ端末１７ｂの加入者電話番号とＩＰアドレスを設定するように試験登録要求を行う（Ｓ３０８）。ＶｏＩＰ端末１７ｂが公衆交換電話網にも接続される場合には、試験実施装置１３ｂに対して、ＩＰ電話番号である０５０番号でなく固定電話の加入者電話番号である０ＡＢ〜Ｊ番号を設定させることも可能である。
【００２５】
試験制御部２２から指示を受けた応答側試験パケット処理部２４は、選択された試験実施装置１３ｂに対してＶｏＩＰ端末１７ｂの電話番号ｂとＩＰアドレスｂを設定し、トンネルセッションの確立処理を行う（Ｓ３０９）。
【００２６】
試験制御装置１１と試験実施装置１３ｂとの間でトンネルセッションが確立されると、応答側パケット処理部２４はＳＩＰプロコル手順に従ってＶｏＩＰサーバ１５にＲＥＧＩＳＴＥＲリクエストを送受信部２５から送信して、位置登録処理を行う。
【００２７】
位置登録処理については、まず応答側パケット処理部２４はトンネルセッション経由で試験実施装置１３ｂにＲＥＧＩＳＴＥＲリクエストを送信する（Ｓ３１０）。応答側パケット処理部２４からＲＥＧＩＳＴＥＲリクエストを受信した試験実施装置１３ｂはＶｏＩＰサーバ１５にＲＥＧＩＳＴＥＲリクエストを送信し、ＩＰアドレスｂを通知する（Ｓ３１１）。
ＶｏＩＰサーバ１５は、ＲＥＧＩＳＴＥＲリクエストを受信すると２００ＯＫのレスポンスを登録完了通知として、試験実施装置１３ｂに送信する（Ｓ３１２）。２００ＯＫのレスポンスを受信した試験実施装置１３ｂは、トンネルセッション経由で応答側パケット処理部２４に２００ＯＫのレスポンスを送信する（Ｓ３１３）。
【００２８】
２００ＯＫのレスポンスを受信した応答側パケット処理部２４は、試験制御部２２に発信側の試験実施装置１３ｂの設定が完了したことを示す登録完了通知を送信する（Ｓ３１４）。
【００２９】
発信側と応答側の試験登録が完了すると、オペレータが試験制御装置１１の入力部２１によりＩＰ試験の応答指示の操作を行い、試験制御部２２は応答側パケット処理部２４に対して、ＩＰ試験を開始するにあたって応答の準備をするように応答指示を行う（Ｓ３１５）。
【００３０】
次に、オペレータが試験制御装置１１の入力部２１によりＩＰ試験の発信指示の操作を行う。発信指示の操作は着信先の電話番号ｂを指定して行われる。
試験制御部２２は、発信側パケット処理部２３に着信先の電話番号ｂへの発信指示を要求する（Ｓ３１６）。
【００３１】
発信指示の要求を受けた発信側パケット処理部２３は、応答側パケット処理部２４と共に、ＶｏＩＰサーバ１５を介して試験実施装置１３ａと試験実施装置１３ｂとの呼接続処理を行う。
【００３２】
呼接続処理については、まず発信側パケット処理部２３は電話番号ｂを着信先とする呼制御パケットのＩＮＶＩＴＥリクエストを生成し、そのＩＮＶＩＴＥリクエストをトンネルセッション経由で試験実施装置１３ａに送信する（Ｓ３１７）。ＩＮＶＩＴＥリクエストを受信した試験実施装置１３ａは、そのＩＮＶＩＴＥリクエストをＶｏＩＰサーバ１５に送信する（Ｓ３１８）。そしてＶｏＩＰサーバ１５は、そのＩＮＶＩＴＥリクエストを着信先である電話番号ｂが設定された試験実施装置１３ｂに送信する（Ｓ３１９）。試験実施装置１３ｂは受信したＩＮＶＩＴＥリクエストをトンネルセッション経由で応答側パケット処理部２４に送信する（Ｓ３２０）。ここで、図示はされていないが応答側パケット処理部２４は、受信したＩＮＶＩＴＥリクエストを試験制御部２２に送信する。そして試験制御部２２は、試験実施装置１３ａから着信中であることを表示部２６に表示させる。
【００３３】
ＩＮＶＩＴＥリクエストを受信した応答側パケット処理部２４は、呼制御パケットの１８０Ｒｉｎｇｉｎｇのレスポンスを生成し、その１８０Ｒｉｎｇｉｎｇをトンネルセッション経由で試験実施装置１３ｂに送信する（Ｓ３２１）。１８０Ｒｉｎｇｉｎｇのレスポンスを受信した試験実施装置１３ｂは、その１８０ＲｉｎｇｉｎｇのレスポンスをＶｏＩＰサーバ１５に送信する（Ｓ３２２）。そしてＶｏＩＰサーバ１５は、１８０Ｒｉｎｇｉｎｇのレスポンスを発信先である電話番号ａが設定された試験実施装置１３ａに送信する（Ｓ３２３）。試験実施装置１３ａは受信した１８０Ｒｉｎｇｉｎｇのレスポンスをトンネルセッション経由で発信側パケット処理部２３に送信する（Ｓ３２４）。ここで、図示はされていないが、発信側パケット処理部２３は、受信した１８０Ｒｉｎｇｉｎｇのレスポンスを試験制御部２２に送信する。そして試験制御部２２は、試験実施装置１３ｂに発信中であることを表示部２６に表示する。
【００３４】
表示部２６に試験実施装置１３ａから着信中であることが表示されているときに、オペレータが試験制御装置１１の入力部２１により試験実施装置１３ｂをオフフック状態にする操作を行う。入力部２１から操作指示を受けた試験制御部２２は、応答側パケット処理部２４に、試験実施装置１３ｂをオフフック状態にするように指示をする。応答側パケット処理部２４は、呼制御パケットの２００ＯＫのレスポンスを生成し、その２００ＯＫのレスポンスをトンネルセッション経由で試験実施装置１３ｂに送信する（Ｓ３２５）。２００ＯＫのレスポンスを受信した試験実施装置１３ｂは、その２００ＯＫのレスポンスをＶｏＩＰサーバ１５に送信する（Ｓ３２６）。そしてＶｏＩＰサーバ１５は、２００ＯＫのレスポンスを発信先である電話番号ａが設定された試験実施装置１３ａに送信する（Ｓ３２７）。試験実施装置１３ａは受信した２００ＯＫのレスポンスをトンネルセッション経由で発信側パケット処理部２３に送信する（Ｓ３２８）。ここで図示はされないが発信側パケット処理部２３は、受信した２００ＯＫのレスポンスを試験制御部２２に送信する。そして試験制御部２２は、試験実施装置１３ｂがオフフック状態であることを表示部２６に表示する。
【００３５】
また試験制御部２２は、２００ＯＫのレスポンスを受信すると、発信側パケット処理部２３に、ＡＣＫリクエストの生成を指示する。発信側パケット処理部２３は、呼制御パケットのＡＣＫリクエストを生成し、そのＡＣＫリクエストをトンネルセッション経由で試験実施装置１３ａに送信する（Ｓ３２９）。ＡＣＫリクエストを受信した試験実施装置１３ａは、そのＡＣＫリクエストをＶｏＩＰサーバ１５に送信する（Ｓ３３０）。そしてＶｏＩＰサーバ１５は、そのＡＣＫリクエストを試験実施装置１３ｂに送信する（Ｓ３３１）。試験実施装置１３ｂは受信したＡＣＫリクエストをトンネルセッション経由で応答側パケット処理部２４に送信する（Ｓ３３２）。ここで図示されないが、応答側パケット処理部２４は、受信したＡＣＫリクエストを試験制御部２２に送信する。そして試験制御部２２は、試験実施装置１３ａと試験実施装置１３ｂとの呼接続が完了したことを表示部２６に表示する。
【００３６】
試験実施装置１３ａと試験実施装置１３ｂとの呼接続が完了すると、発信側パケット処理部２３及び応答側パケット処理部２４は、ＲＴＰパケットである音声ＩＰパケットを生成し、トンネルセッション経由で試験実施装置１３ａ及び試験実施装置１３ｂに送信し、試験実施装置１３ａと試験実施装置１３ｂとの間で音声ＩＰパケットの送受信を行わせる（Ｓ３３３）。試験実施装置１３ａ及び試験実施装置１３ｂはお互いに受信した音声ＩＰパケットを発信側パケット処理部２３及び応答側パケット処理部２４にトンネルセッション経由で送信する。ここで図示されないが発信側パケット処理部２３及び応答側パケット処理部２４は、受信した音声ＩＰパケットを試験制御部２２に送信し、試験制御部２２は音声ＩＰパケットの送受信状況を表示部２６に表示する。
【００３７】
そして、オペレータが試験制御装置１１の入力部２１により、試験実施装置１３ａから試験実施装置１３ｂへの切断指示の操作を行う。入力部２１の指示を受けた試験制御部２２は、発信側パケット処理部２３に切断指示の要求を行う（Ｓ３３４）。
【００３８】
切断指示の要求を受けた発信側パケット処理部２３は、応答側パケット処理部２４と共に、ＶｏＩＰサーバ１５を介して試験実施装置１３ａと試験実施装置１３ｂとの呼切断処理を行う。
【００３９】
発信側パケット処理部２３は、呼制御パケットのＢＹＥリクエストを生成し、そのＢＹＥリクエストトンネルセッション経由で試験実施装置１３ａに送信する（Ｓ３３５）。ＢＹＥリクエストを受信した試験実施装置１３ａは、そのＢＹＥリクエストをＶｏＩＰサーバ１５に送信する（Ｓ３３６）。そしてＶｏＩＰサーバ１５は、そのＢＹＥリクエストを試験実施装置１３ｂに送信する（Ｓ３３７）。試験実施装置１３ｂは受信したＢＹＥリクエストをトンネルセッション経由で応答側パケット処理部２４に送信する（Ｓ３３８）。ここで図示はされないが、応答側パケット処理部２４は、受信したＢＹＥリクエストを試験制御部２２に送信する。そして試験制御部２２は、試験実施装置１３ａから切断指示があったことを表示部２６に表示する。
【００４０】
応答側パケット処理部２４は、呼制御パケットの２００ＯＫのレスポンスを生成し、その２００ＯＫのレスポンスをトンネルセッション経由で試験実施装置１３ｂに送信する（Ｓ３３９）。２００ＯＫのレスポンスを受信した試験実施装置１３ｂは、その２００ＯＫのレスポンスをＶｏＩＰサーバ１５に送信する（Ｓ３４０）。そしてＶｏＩＰサーバ１５は、２００ＯＫのレスポンスを試験実施装置１３ａに送信する（Ｓ３４１）。試験実施装置１３ａは受信した２００ＯＫのレスポンスをトンネルセッション経由で発信側パケット処理部２３に送信する（Ｓ３４２）。発信側パケット処理部２３は、切断完了通知を試験制御部２２に送信する（Ｓ３４３）。そして試験制御部２２は、呼切断処理が完了したことを表示部２６に表示する。
【００４１】
オペレータが試験制御装置１１の入力部２１により、試験実施装置１３ａに対して、試験登録解除の操作を行う。入力部２１から試験登録解除の指示情報を受信した試験制御部２２は、発信側パケット処理部２３に、試験実施装置１３ａに対してＶｏＩＰ端末１７ａの加入者電話番号とＩＰアドレスの設定を解除するように試験登録解除を行う（Ｓ３４４）。
【００４２】
発信側パケット処理部２３はＶｏＩＰサーバ１５にＲＥＧＩＳＴＥＲリクエストを送信して、位置登録解除を行う。
【００４３】
位置登録解除については、まず発信側パケット処理部２３はトンネルセッション経由で試験実施装置１３ａにＶｏＩＰ端末１７ａの加入者電話番号とＩＰアドレスの設定を解除するためのＲＥＧＩＳＴＥＲリクエストを送信する（Ｓ３４５）。発信側パケット処理部２３からＲＥＧＩＳＴＥＲリクエストを受信した試験実施装置１３ａはＶｏＩＰサーバ１５にＲＥＧＩＳＴＥＲリクエストを送信する（Ｓ３４６）。
ＶｏＩＰサーバ１５は、ＲＥＧＩＳＴＥＲリクエストを受信すると２００ＯＫのレスポンスを登録解除完了通知として、試験実施装置１３ａに送信する（Ｓ３４７）。２００ＯＫのレスポンスを受信した試験実施装置１３ａは、トンネルセッション経由で発信側パケット処理部２３に２００ＯＫのレスポンスを送信する（Ｓ３４８）。
【００４４】
登録解除が完了すると、発信側パケット処理部２３は試験実施装置１３ａに対してトンネルセッションの開放を行う（Ｓ３４９）。
【００４５】
そして、発信側パケット処理部２３は、試験制御部２２に対して、登録解除完了通知を送信する（Ｓ３５０）。
【００４６】
次にオペレータが試験制御装置１１の入力部２１により、試験実施装置１３ｂに対して、試験登録解除の操作を行う。入力部２１から試験登録解除の指示情報を受信した試験制御部２２は、応答側パケット処理部２３に、試験実施装置１３ｂに対してＶｏＩＰ端末１７ｂの加入者電話番号とＩＰアドレスの設定を解除するように試験登録解除を行う（Ｓ３５１）。
【００４７】
応答側パケット処理部２４はＶｏＩＰサーバ１５にＲＥＧＩＳＴＥＲリクエストを送信して、位置登録解除を行う。
【００４８】
位置登録解除については、まず応答側パケット処理部２４はトンネルセッション経由で試験実施装置１３ｂにＶｏＩＰ端末１７ｂの加入者電話番号とＩＰアドレスの設定を解除するためのＲＥＧＩＳＴＥＲリクエストを送信する（Ｓ３５２）。応答側パケット処理部２４からＲＥＧＩＳＴＥＲリクエストを受信した試験実施装置１３ｂはＶｏＩＰサーバ１５にＲＥＧＩＳＴＥＲリクエストを送信する（Ｓ３５３）。
ＶｏＩＰサーバ１５は、ＲＥＧＩＳＴＥＲリクエストを受信すると２００ＯＫのレスポンスを登録解除完了通知として、試験実施装置１３ｂに送信する（Ｓ３５４）。２００ＯＫのレスポンスを受信した試験実施装置１３ｂは、トンネルセッション経由で応答側パケット処理部２４に２００ＯＫのレスポンスを送信する（Ｓ３５５）。
【００４９】
登録解除が完了すると、応答側パケット処理部２４は試験実施装置１３ｂに対してトンネルセッションの開放を行う（Ｓ３５６）。
【００５０】
そして、発信側パケット処理部２３は、試験制御部２２に対して、登録解除完了通知を送信する（Ｓ３５７）。
オペレータは入力部２１により、ＩＰ試験の終了の操作を行う。
【００５１】
本実施例では、オペレータが入力部２１を数回操作することによって、試験制御部２２が発信側パケット処理部２３及び応答側パケット処理部２４を制御するように説明されたが、オペレータの試験の最初の操作と最後の操作以外は、試験制御部２２が発信側パケット処理部２３及び応答側パケット処理部２４を自動で制御するように予め試験手順をプログラム化しておいてもよい。
【００５２】
また変形例として図４を用いて、本発明のＩＰ試験システムの第２の動作フローの詳細が説明される。
図４において、Ｓ４０１〜Ｓ４３２、Ｓ４３４〜Ｓ４５７は、それぞれ図３におけるＳ３０１〜Ｓ３３２、Ｓ３３４〜Ｓ３５７に対応しており、ほぼ動作は同様であるので説明は省略される。
【００５３】
第２の動作フローにおいて、第１の動作フローと異なるのは、音声ＩＰパケットの送受信の動作である（Ｓ４３３）。第１の動作フローでは、試験実施装置１３ａと試験実施装置１３ｂの呼接続が完了すると、試験制御装置２２の発信側パケット処理部２３及び応答側パケット処理部２４が音声ＩＰパケットを生成し、トンネルセッション経由で試験実施装置１３ａ及び試験実施装置１３ｂに送信し、試験実施装置１３ａと試験実施装置ｂとの間で音声ＩＰパケットの送受信を行った。しかし第２の動作フローでは、試験実施装置１３ａと試験実施装置１３ｂの呼接続が完了すると、試験実施装置１３ａ及び試験実施装置１３ｂが自ら音声ＩＰパケットを生成し、音声ＩＰパケットの送受信を行う。
【００５４】
試験実施装置１３ａ及び試験実施装置１３ｂは、お互いに受信した音声ＩＰパケットをトンネルセッション経由で発信側パケット処理部２３及び応答側パケット処理部２４に送信し、試験制御部２２は、発信側パケット処理部２３及び応答側パケット処理部２４からその音声ＩＰパケットを受信して、表示部２６に音声ＩＰパケットの受信状況を表示する。
【００５５】
実施例１や変形例に記載される本発明によれば、試験制御装置１１から複数の試験実施装置を集中管理することで１箇所から遠隔で呼制御及び音声の試験が実施できる。
また、呼制御シグナリングのパケット種別やシーケンスなどの仕様が変更された場合、試験制御装置１１に変更を加えるだけでよく、試験実施装置１１が数多く配置された場合においても、変更に必要なコストは変わらない。
また、図３に示すような動作フローにおいて、試験制御装置１１にて受信した音声をオペレータがモニタすることで、管理者が実際の音声の状態を確認することが可能となる。
さらに、試験制御装置１１と試験実施装置の間にトンネルセッションを確立することで、試験制御装置１１と試験実施装置の間のネットワークのアドレス空間が、ＶｏＩＰサーバ１５やＶｏＩＰ端末を含むネットワークのアドレス空間とは分離されている場合でも、一連の呼制御パケット及び音声ＩＰパケットの導通が問題なく実施される。
【図面の簡単な説明】
【００５６】
【図１】本発明のＩＰ試験システムのネットワーク構成を示す図
【図２】本発明の試験制御装置の機能構成を示す図
【図３】本発明のＩＰ試験システムの第１の動作フローを示す図
【図４】ＩＰ試験システムの第２の動作フローを示す図
【符号の説明】
【００５７】
１１…試験制御装置、１２…第１のネットワーク、１３ａ…試験実施装置、１３ｂ…試験実施装置、１４…第２のネットワーク、１５…ＶｏＩＰサーバ、１６…第３のネットワーク、１７ａ…ＶｏＩＰ端末、１７ｂ…ＶｏＩＰ端末、１８…第４のネットワーク、２１…入力部、２２…試験制御部、２３…発信側パケット処理部、２４…応答側パケット処理部、２５…送受信部、２６…表示部
【図１】
0004715431.tif 000002
【図２】
0004715431.tif 000003
【図３】
0004715431.tif 000004
【図４】
0004715431.tif 000005